(57)【要約】記録媒体に記録された記録情報の蓄積部へのダビング要求を受け付けるダビング要求受信部と、ダビング要求に応答し、蓄積部への放送映像信号の蓄積が予約されていない少なくとも１の空き時間帯を検出する空き時間帯検出部と、再生部による再生情報を上記少なくとも１の空き時間帯に割り当てて蓄積部にダビングするダビング割当をなす割当部と、ダビング割当に基づいて、上記少なくとも１の空き時間帯に再生部を駆動して記録情報を再生し、蓄積部へのダビングをなすコントローラと、を有している。【特許請求の範囲】
【請求項１】
記録媒体に記録された記録情報を再生する再生部と、放送波を受信して得られた映像信号を録画予約に基づいて蓄積する蓄積部と、を有する記録再生装置の記録方法であって、
前記記録媒体に記録された記録情報の前記蓄積部へのダビング要求を受け付けるダビング要求受信ステップと、
前記ダビング要求に応答し、前記蓄積部への前記映像信号の蓄積が予約されていない少なくとも１の空き時間帯を検出する空き時間帯検出ステップと、
前記再生部による再生情報を前記少なくとも１の空き時間帯に割り当てて前記蓄積部にダビングするダビング割当をなす割当ステップと、
前記ダビング割当に基づいて、前記少なくとも１の空き時間帯に前記再生部を駆動して前記記録情報を再生する再生ステップと、
前記再生ステップにおいて再生された記録情報を前記蓄積部に記録するダビングステップと、を有することを特徴とする記録方法。
【請求項２】
前記録画予約の変更を検出する録画予約変更検出ステップを有し、
前記空き時間帯検出ステップは当該変更後の録画予約に基づいて空き時間帯を再検出し、前記割当ステップは当該再検出後の空き時間帯に基づいて前記ダビング割当を更新することを特徴とする請求項１に記載の記録方法。
【請求項３】
前記記録媒体に記録された記録情報をデジタルデータに変換する変換ステップと、前記再生情報の情報量に対応するデジタルデータの容量を算出する算出ステップと、を有し、
前記割当ステップは前記デジタルデータの容量に基づいて前記再生情報を前記少なくとも１の空き時間帯に割り当てることを特徴とする請求項１に記載の記録方法。
【請求項４】
前記空き時間帯検出ステップは前記記録媒体に記録された記録情報を前記蓄積部に一括ダビング可能な空き時間帯を検出し、前記再生ステップは前記一括ダビング可能な空き時間帯に前記記録情報を再生し、前記ダビングステップは前記一括ダビング可能な空き時間帯に当該再生された記録情報を前記蓄積部にダビング記録することを特徴とする請求項３に記載の記録方法。
【請求項５】
記録媒体に記録された記録情報を再生する再生部と、放送波を受信して得られた映像信号を録画予約に基づいて蓄積する蓄積部と、を有する記録再生装置であって、
前記記録媒体に記録された記録情報の前記蓄積部へのダビング要求を受け付けるダビング要求受信部と、
前記ダビング要求に応答し、前記蓄積部への前記映像信号の蓄積が予約されていない少なくとも１の空き時間帯を検出する空き時間帯検出部と、
前記再生部による再生情報を前記少なくとも１の空き時間帯に割り当てて前記蓄積部にダビングするダビング割当をなす割当部と、
前記ダビング割当に基づいて、前記少なくとも１の空き時間帯に前記再生部を駆動して前記記録情報を再生し、前記蓄積部へのダビングをなすコントローラと、を有することを特徴とする記録再生装置。
【請求項６】
前記録画予約の変更を検出する録画予約変更検出部を有し、
前記空き時間帯検出部は当該変更後の録画予約に基づいて空き時間帯を再検出し、前記割当部は当該再検出後の空き時間帯に基づいて前記ダビング割当を更新することを特徴とする請求項１に記載の記録再生装置。
【請求項７】
前記記録媒体に記録された記録情報をデジタルデータに変換する変換部と、前記再生情報の情報量に対応するデジタルデータの容量を算出する算出部と、を有し、
前記割当部は前記デジタルデータの容量に基づいて前記再生情報を前記少なくとも１の空き時間帯に割り当てることを特徴とする請求項１に記載の記録再生装置。
【請求項８】
前記空き時間帯検出部は前記記録媒体に記録された記録情報を前記蓄積部に一括ダビング可能な空き時間帯を検出し、前記コントローラは前記一括ダビング可能な空き時間帯に前記蓄積部へのダビングをなすことを特徴とする請求項３に記載の記録再生装置。
【発明の詳細な説明】
【技術分野】  本発明は、記録再生装置、特に、再録画（ダビング）機能を有する記録再生装置に関する。
【背景技術】  ＤＶＤ（Ｄｉｇｉｔａｌ  Ｖｅｒｓａｔｉｌｅ  Ｄｉｓｃ）等の光ディスク技術の進展に伴い、映像等をＤＶＤにデジタルデータとして録画することが可能なデジタル録画装置が広く普及している。さらに、近年、テレビ番組等の映像をリアルタイムで録画でき、大容量のデータを記録することが可能なＨＤＤ（Ｈａｒｄ  Ｄｉｓｃ  Ｄｒｉｖｅ）をさらに搭載したデジタル録画装置が、近年、急速に用いられるようになってきた。
このような大容量のデジタル録画装置の普及に伴って、従来から一般的に広く用いられているＶＨＳ等のビデオテープやＤＶＤに録画された映像等を上記デジタル録画装置を用いて再録画（ダビング記録）を行いたい場合がある。例えば、ビデオテープに録画された映像等をデジタル録画装置のＨＤＤに記録する際、又はデジタル録画装置を用いてＤＶＤ等の光ディスクに記録する際には、ＶＣＲ（Ｖｉｄｅｏｃａｓｓｅｔｔｅ  Ｒｅｃｏｒｄｅｒ）装置によってビデオテープから録画済み映像等を再生しつつダビング記録を行う必要がある。
デジタル録画装置は、テレビ番組等をリアルタイムで録画する場合に使用されることが多く、従って、ユーザは、デジタル録画装置を使用しない時間帯であって、ダビング記録を行うのに要する時間が確保できる時間帯を選んでダビング記録を行う必要があった。また、ユーザは、全てのダビング記録操作をマニュアルで行わなければならなく、多大な時間を費やす必要があった。さらに、ダビング記録作業は、ユーザにとっては煩わしいものであった（例えば、特許文献１：特開２００４−２２０６４８号公報参照）。
従って、ダビング記録操作を簡便、かつ短時間に行うことが可能なデジタル録画装置の実現が強く望まれている。
【発明の開示】
本発明が解決しようとする課題には、上記した問題が１例として挙げられる。本発明は、上述した問題点に鑑みてなされたものであり、その目的とするところは、ダビング記録の操作を簡便、かつ短時間に行うことが可能な記録再生装置を提供することにある。
本発明による方法は、記録媒体に記録された記録情報を再生する再生部と、放送波を受信して得られた映像信号を録画予約に基づいて蓄積する蓄積部と、を有する記録再生装置の記録方法であって、記録媒体に記録された記録情報の蓄積部へのダビング要求を受け付けるダビング要求受信ステップと、ダビング要求に応答し、蓄積部への映像信号の蓄積が予約されていない少なくとも１の空き時間帯を検出する空き時間帯検出ステップと、再生部による再生情報を当該少なくとも１の空き時間帯に割り当てて蓄積部にダビングするダビング割当をなす割当ステップと、ダビング割当に基づいて、当該少なくとも１の空き時間帯に再生部を駆動して記録情報を再生する再生ステップと、再生ステップにおいて再生された記録情報を蓄積部に記録するダビングステップと、を有することを特徴としている。
本発明による記録再生装置は、記録媒体に記録された記録情報を再生する再生部と、放送波を受信して得られた映像信号を録画予約に基づいて蓄積する蓄積部と、を有する記録再生装置であって、記録媒体に記録された記録情報の蓄積部へのダビング要求を受け付けるダビング要求受信部と、ダビング要求に応答し、蓄積部への映像信号の蓄積が予約されていない少なくとも１の空き時間帯を検出する空き時間帯検出部と、再生部による再生情報を当該少なくとも１の空き時間帯に割り当てて蓄積部にダビングするダビング割当をなす割当部と、ダビング割当に基づいて、当該少なくとも１の空き時間帯に再生部を駆動して記録情報を再生し、蓄積部へのダビングをなすコントローラと、を有することを特徴としている。
【図面の簡単な説明】  図１は、本発明の実施例１であるデジタル記録再生装置の構成を模式的に示すブロック図である。
図２は、ビデオテープに録画された映像をビデオテーププレーヤにより再生し、当該再生信号をハードディスク１８Ａに予約ダビング記録する場合の手順を示すフローチャートである。
図３は、一括ダビングを行う場合のサブルーチンの手順を示すフローチャートである。
図４は、分割ダビングを行う場合のサブルーチンの手順を示すフローチャートである。
図５は、本発明の実施例２であるデジタルレコーダの予約ダビング記録の手順を示すフローチャートである。
図６は、本発明の実施例３である一括ダビング記録の手順を示すフローチャートである。
【発明を実施するための最良の形態】  以下、本発明の実施例について図面を参照しつつ詳細に説明する。なお、以下に示す実施例において、等価な構成要素には同一の参照符を付している。
【実施例１】  図１は、本発明の実施例１であるデジタル記録再生装置（以下、デジタルレコーダ装置、又は単にデジタルレコーダという。）１０の構成を模式的に示すブロック図である。デジタルレコーダ１０は、映像／音声信号等のアナログ信号及びデジタル信号をデジタルデータとして記録する記録装置として機能するとともに、記録されたデジタルデータを再生し、アナログ信号又はデジタル信号に変換して出力する再生装置としても機能する。
デジタルレコーダ１０にアナログ映像入力端ＡＶＩを介して入力されたアナログ映像信号（ビデオ信号）は、アナログ−デジタル変換器（Ａ／Ｄ変換器）１１によってデジタルビデオ信号に変換される。当該デジタルビデオ信号は、ビデオエンコーダ１３においてＭＰＥＧ等の圧縮データに符号化（エンコード）される。
デジタルレコーダ１０にアナログ音声入力端ＡＡＩを介して入力されたアナログ音声信号（オーディオ信号）は、アナログ−デジタル変換器（Ａ／Ｄ変換器）１２によってデジタルオーディオ信号に変換される。当該デジタルオーディオ信号は、オーディオエンコーダ１４において所定の圧縮データに符号化（エンコード）される。
ビデオエンコーダ１３からの符号化ビデオデータ、及びオーディオエンコーダ１４からの符号化オーディオデータは多重化回路（以下、マルチプレクサＭＵＸという。）１５に供給され、多重化される。当該符号化ビデオデータ及び符号化オーディオデータの多重化はシステムコントローラ２０の制御の下で実行される。なお、システムコントローラ２０は、信号バス（図示しない）を介してデジタルレコーダ１０の各部に接続され、デジタルレコーダ１０全体の制御をなすよう構成されている。なお、システムコントローラ２０には、システムコントローラ２０がデジタルレコーダ１０の制御を実行するために必要なデータ、コマンド、設定値等を格納するためのメモリ（ＲＡＭ，ＲＯＭ）２０Ａが双方向的に接続されている。
マルチプレクサＭＵＸ１５において多重化されたデータ（以下、多重化データともいう。）は、インターフェース（Ｉ／Ｆ）回路１６を介してＨＤ（ハードディスク）、あるいはＤＶＤディスク等の光ディスクに転送され、システムコントローラ２０からの制御信号に基づいて記録される。より詳細には、インターフェース回路１６にはデータバスを介して光ディスク駆動部１７及びＨＤ（ハードディスク）駆動部１８が接続されている。光ディスク駆動部１７は、光ディスク１７Ａを駆動し、インターフェース回路１６を介して供給されたデータを光ディスク１７Ａに記録する。例えば、光ディスク１７ＡがＤＶＤの場合では数ＧＢ（ギガバイト）、Ｂｌｕ−ｒａｙディスクの場合では数１０ＧＢ程度の記録容量を有している。また、ＨＤ駆動部１８は、ハードディスク１８Ａを駆動し、インターフェース回路１６を介して供給されたデータをハードディスク１８Ａに蓄積（格納）する。例えば、ハードディスク１８Ａは、一般的には数１００ＧＢ〜数ＴＢ（テラバイト）程度の蓄積容量を有する。
なお、上記したように光ディスク１７Ａ、ハードディスク１８Ａに蓄積されるデータは符号化ビデオデータに符号化オーディオデータを多重化したデータであるが、説明の簡便さのため、以下ではかかる多重化データを単に映像データ（片）ともいう。
上記した基本的な機能に加え、デジタルレコーダ１０は、ＴＶチューナ等のアナログ装置からの映像及び音声データの録画予約等の機能を有している。より詳細には、当該装置は制御信号入出力端ＡＣＩＯを介してシステムコントローラ２０に双方向的に接続されることができる。当該装置は制御信号ＡＣＴＬ及び操作入力部２７からの操作信号によって、ＴＶチューナ等の装置を制御しつつ、ユーザ予約によるＴＶ番組等の予約録画を行うことができる。システムコントローラ２０は、当該操作信号に基づいて予約録画に関する設定データ等を生成し、録画予約テーブルとしてメモリ２０Ａに格納する。また、予約された番組の映像データ及び音声データは、ハードディスク１８Ａ又は光ディスク１７Ａに記録（録画予約）される。なお、当該録画予約テーブルは後述するダビングテーブルを生成する際に参照される。
また、デジタルレコーダ１０には、磁気テープ等の記録媒体にアナログ録画された映像及び音声を再生可能なアナログ再生部（アナログビデオテーププレーヤ）１９が設けられている。アナログ再生部１９は、例えばＶＨＳ等の磁気ビデオテープに録画された映像を再生し、アナログ映像信号（ビデオ信号）及びアナログ音声信号（オーディオ信号）を出力する。当該ビデオ信号及びオーディオ信号はそれぞれ上記したＡ／Ｄ変換器１１、１２に入力されるように構成されている。
アナログ再生部１９は、システムコントローラ２０と双方向で接続され、システムコントローラ２０によって制御される。また、システムコントローラ２０は、アナログ再生部１９から頭出し信号（ＶＩＳＳ）、磁気テープ等の記録媒体の種類、録画可能時間等を表す信号等の当該記録媒体に記録された映像に関する信号、及び当該記録媒体自体に関する信号を受信する。なお、システムコントローラに対するユーザの設定行為によっても、頭出し信号や磁気テープ等の記録媒体の種類等を表す信号は発生し得る。
なお、アナログ再生部１９をデジタルレコーダ１０内に設けた場合について説明したが、デジタルレコーダ１０の外部に設けてもよい。すなわち、外部のアナログ再生装置から映像信号を受信し、システムコントローラ２０と双方向的に制御信号等を送受信することとしてもよい。
デジタルレコーダ１０は、デジタルＴＶチューナやデジタルビデオカメラ等の外部装置からのデジタル映像を処理し、光ディスク１７Ａ又はハードディスク１８Ａに録画することができる。さらに録画予約等の機能を有している。
より詳細には、当該外部装置からのデジタル映像信号及びデジタル音声信号は、デジタル入力回路３１を介してそれぞれビデオエンコーダ１３及びオーディオエンコーダ１４に入力され、処理される。処理された映像データ（片）はハードディスク１８Ａ又は光ディスク１７Ａへの格納又は記録される。
デジタル入力回路３１は、デジタル入力制御線３１Ａによってシステムコントローラ２０に双方向的に接続され、上記外部装置とのデジタル入力制御信号（ＤＣＴＬＩ）の送受信を行う。デジタルレコーダ１０は、操作入力部２７からの操作信号及び制御信号ＤＣＴＬによって、デジタルＴＶチューナ等の外部装置を制御しつつ、ユーザ予約によるＴＶ番組等の録画予約を行うことができる。システムコントローラ２０は、当該操作信号に基づいて録画予約に関する設定データ等を生成し、例えば録画予約テーブルとしてメモリ２０Ａに格納する。また、予約された番組の映像データ及び音声データは、ハードディスク１８Ａ又は光ディスク１７Ａに記録（予約録画）される。
さらに、ハードディスク１８Ａに格納された映像データ及び音声データを、インターフェース回路１６を介して光ディスク１７Ａに転送して記録（ダビング）することができ、また、光ディスク１７Ａに記録されたデータを、インターフェース回路１６を介してハードディスク１８Ａに転送して格納することができる。かかるハードディスク１８Ａ又は光ディスク１７Ａからのデータの読み出し、ハードディスク１８Ａ及び光ディスク１７Ａ間のデータの転送、及びハードディスク１８Ａ又は光ディスク１７Ａへの格納又は記録はシステムコントローラ２０の制御信号に基づいて行われる。
次に、デジタルデータの再生時においては、システムコントローラ２０は、光ディスク駆動部１７又はＨＤ駆動部１８を制御して光ディスク１７Ａ又はハードディスク１８Ａに格納されたデータを読み出す。読み出されたデータは、インターフェース回路１６を介して多重分離回路（以下、デマルチプレクサＤＭＵＸという。）２１に供給され、符号化ビデオデータ及び符号化オーディオデータに分離される。
デマルチプレクサＤＭＵＸ２１からの符号化ビデオデータは、ビデオデコーダ２３において復号化（デコード）される。例えば、符号化ビデオデータがＭＰＥＧ圧縮データの場合にはＭＰＥＧ復号化がなされる。復号化されたビデオ信号は、デジタル−アナログ変換器（Ｄ／Ａ変換器）２５によってアナログビデオ信号に変換され、出力される。アナログビデオ信号は、デジタルレコーダ１０に接続されたＴＶ装置等のディスプレイ装置（図示しない）に供給され、当該ディスプレイ装置に表示される。
同様に、デマルチプレクサＤＭＵＸ２１からの符号化オーディオデータは、オーディオデコーダ２４において復号化（デコード）される。復号化されたオーディオ信号は、デジタル−アナログ変換器（Ｄ／Ａ変換器）２６によってアナログオーディオ信号に変換され、アナログ映像出力端ＡＶＯから出力される。アナログオーディオ信号は、アナログ音声出力端ＡＡＯから出力される。これら映像・音声出力は、デジタルレコーダ１０に接続されたＴＶ装置等のディスプレイ装置（図示しない）に供給され、当該ディスプレイ装置により表示及び音声出力される。
また、デジタル出力回路３５が設けられている。デジタル出力回路３５は、デジタル出力制御線３５Ａによってシステムコントローラ２０に双方向的に接続され、外部装置とのデジタル出力制御信号（ＤＣＴＬＯ）の送受信を行う。
上記したビデオデータ及びオーディオデータの、光ディスク１７Ａ又はハードディスク１８Ａへの記録、格納、ハードディスク１８Ａ又は光ディスク１７Ａからのデータの読み出し、ハードディスク１８Ａ及び光ディスク１７Ａ間のデータの転送・記録は、ユーザからの操作、設定等を受け付ける操作入力部２７からの操作信号に応じて行われる。また、ユーザの操作・設定、光ディスク１７Ａ及びハードディスク１８Ａの記録内容、各種動作の実行状況等の情報は表示部２８に表示される。あるいは、それらの情報の全て、あるいは一部がデジタルレコーダ１０に接続されたＴＶ装置等のディスプレイ装置（図示しない）に供給され、当該ディスプレイ装置に表示するようにしてもよい。
次に、アナログ映像信号をハードディスク１８Ａに予約ダビング記録する場合を例に、本発明のデジタルレコーダ１０の動作について図面を参照しつつ詳細に説明する。
図２は、ビデオテープに録画された映像及び音声を、ビデオテーププレーヤ１９により再生し、当該再生信号をハードディスク１８Ａに予約ダビング記録する場合の手順を示すフローチャートである。なお、上記したように、ビデオテーププレーヤ（ＶＣＲ）１９からの再生信号はビデオ信号及びオーディオ信号からなるが、説明の簡便さのため、以下ではかかるアナログ再生信号を単にアナログ映像信号（又はアナログビデオ信号）ともいい、アナログ映像信号はオーディオ信号を含む。また、以下に説明するダビング記録動作はシステムコントローラ２０の制御によってなされる。
まず、システムコントローラ２０は、予約ダビング要求を受け付ける。すなわち、例えばユーザの操作によって操作入力部２７から入力された予約ダビングの要求及びダビング設定を受け付ける（ステップＳ１１）。このダビング要求には、ビデオテーププレーヤ（ＶＣＲ）１９にロードされたダビング元のビデオテープの種類等の記録容量、記録時間に関する情報が含まれる。あるいは、ビデオテーププレーヤ１９がビデオテープを判別し、当該情報をシステムコントローラ２０に送出するようにしてもよい。あるいは、ダビング要求に当該情報を含まない場合には、ビデオテープの記録容量、記録時間として既定値（デフォルト値）を用いるようにしてもよい。
なお、以下においては、ビデオテーププレーヤ１９にロードされたビデオテープの全体をダビング（フルダビング）する場合について説明するが、ビデオテープの一部についてダビングする場合に拡張して適用することは容易である。例えば、ビデオテープに記録された映像の頭出し（ＶＩＳＳ）信号、または音声多重（二ヶ国語）、ステレオ／モノラルなどの記録形態の検出等を用いてビデオテーププレーヤ１９の再生制御、及びハードディスク１８Ａへの蓄積制御を行うようにすればよい。
次に、システムコントローラ２０は、当該ダビング要求において指定されたビデオテープの記録時間に対応するデジタルデータの記録容量を算出し、蓄積部（ハードディスク１８Ａ）の記録可能な容量（空き容量）が当該ビデオテープのダビングに十分か否かを判別する（ステップＳ１２）。
空き容量が十分でないと判別された場合には、ステップＳ１１に戻り、ダビング要求を再度受け付ける。なお、この際、空き容量が十分でない旨の表示を、例えば表示器２８に行うようにしてもよい。
空き容量が十分であると判別された場合には、システムコントローラ２０は、ハードディスク１８Ａの空き時間帯を検出し、ダビングするデジタルデータを当該空き時間帯に割り当て、ダビング予定テーブル（以下、ダビングテーブルともいう）を作成する。また、そのダビング予定テーブルをメモリ２０Ａに格納する（ステップＳ１３）。より詳細には、システムコントローラ２０は、メモリ２０Ａに格納されている録画予約テーブルを参照し、録画予約がなされていない時間帯（空き時間帯）を検出する。すなわち、録画予約を優先し、ハードディスク１８Ａを当該予約録画のために使用することのない空き時間帯にビデオテープの映像をダビングするよう自動でダビング予定テーブルを生成する。より具体的には、１の時間帯（空き時間帯）に当該ビデオテープの映像のダビングを行える場合には、当該時間帯にダビングするように割り当てる。あるいは、１の空き時間帯ではダビングを行えない場合には、複数の空き時間帯に、それぞれの期間に応じて当該ビデオテープの映像を複数の期間（第１部〜第ｎ部）に分割してダビングするよう割り当てる。なお、この場合、分割してダビングを行う際には、分割点前後で一部重複部分を形成させる場合があり、分割ダビングと判断された場合には当該重複部分のデータ量も考慮する。
次に、システムコントローラ２０は、ビデオテーププレーヤ１９を制御してビデオテープの頭出しを行う（ステップＳ１３）。上記したように、フルダビングの場合では、ビデオテープの記録可能な先頭位置まで巻戻しを行う。
次に、システムコントローラ２０は、一括ダビングであるか否かを判別する（ステップＳ１４）。すなわち、システムコントローラ２０は、ダビング予定テーブルを参照し、１の空き時間帯にダビングを行えるか（一括ダビング）、あるいは、複数の空き時間帯に分割してダビングを行うか（分割ダビング）を判別する（ステップＳ１５）。
一括ダビングであると判別された場合には一括ダビング・サブルーチンを実行し（ステップＳ１６）、分割ダビングであると判別された場合には分割ダビング・サブルーチンを実行する（ステップＳ１７）。
図３は、一括ダビングを行う場合のサブルーチンの手順を示している。図３を参照すると、まず、システムコントローラ２０は、ダビング予定テーブルを参照し、ダビング予定時刻が到来したか否かを判別する（ステップＳ２１）。ダビング予定時刻が到来したと判別された場合には、システムコントローラ２０はＨＤ駆動部１８を制御して、記録開始信号、及びダビングするビデオテープの識別信号等をハードディスク１８Ａに記録する（ステップＳ２２）。
次に、システムコントローラ２０は、ビデオテープのハードディスク１８Ａへのダビングを実行する（ステップＳ２３）。ダビングの実行中、システムコントローラ２０は、ビデオテーププレーヤ１９からのインデックス信号（ＶＩＳＳ信号）、あるいは終了信号（ＦＩＮ）やテープのＥＮＤ等を検知したか否かを判別する（ステップＳ２４）。
インデックス信号（ＶＩＳＳ信号）が検知された場合には、ステップＳ２２に戻り、ビデオテープ中の当該録画部分の記録開始信号及び識別信号等をハードディスク１８Ａに記録し、ダビングを継続して実行する（ステップＳ２２〜Ｓ２３）。かかるステップＳ２２〜Ｓ２４の動作をダビングの終了信号（ＦＩＮ）が検知されるまで繰り返すことによってビデオテープに複数の番組が録画されている場合でも、当該連続する複数の番組を連続的にダビングすることができる。この場合、例えばＶＩＳＳ信号を録画番組に対応するタイトル識別情報に変換して記録する等を行うことによって、例えばビデオテープに複数の番組が録画されている場合でも、ハードディスク１８Ａに当該複数の番組をダビングでき、また、ダビングされたデータを再生する際に各番組に対応するデータを識別できる。なお、フルダビング（テープ全体のダビング）の際の手順について説明したが、上記したように、ビデオテープの一部について選択的にダビング（部分ダビング）を行うことも可能である。例えば、ビデオテープに記録された映像の頭出し（ＶＩＳＳ）信号等を利用し、ユーザの選択した番組を選択的に再生し、ハードディスク１８Ａに蓄積するよう制御を行うようにしてもよい。
ダビングの終了信号（ＦＩＮ）が検知された場合には、システムコントローラ２０は、ＨＤ駆動部１８、ビデオテーププレーヤ１９に終了制御信号を発してダビング終了処理を行う（ステップＳ２５）。
図４は、分割ダビングを行う場合のサブルーチンの手順を示している。図４を参照すると、まず、システムコントローラ２０は、ダビング予定テーブルを参照し、ダビング予定時刻が到来したか否かを判別する（ステップＳ３１）。ダビング予定時刻が到来したと判別された場合には、システムコントローラ２０はＨＤ駆動部１８を制御して、ダビングするビデオテープの識別信号、及び記録開始信号等をハードディスク１８Ａに記録する（ステップＳ３２）。
次に、システムコントローラ２０は、ビデオテーププレーヤ１９を制御して再生動作を行い、ビデオテープ映像の第ｊ部（ｊ＝１）のハードディスク１８Ａへのダビングを実行する（ステップＳ３３）。ダビングの実行中、システムコントローラ２０は、ビデオテーププレーヤ１９からのインデックス信号（ＶＩＳＳ信号）、あるいは終了信号（ＦＩＮ）を検知したか否かを判別する（ステップＳ３４）。
インデックス信号（ＶＩＳＳ信号）が検知された場合には、ビデオテープ中の当該録画部分の記録開始信号及び識別信号等をハードディスク１８Ａに記録する（ステップＳ３５）。次に、ステップＳ３３に戻ってステップＳ３３〜Ｓ３４の動作をダビングの終了信号（ＦＩＮ）が検知されるまで繰り返す。これにより、例えばビデオテープに複数の番組が録画されている場合でも、ハードディスク１８Ａにダビングされたデータを再生する際に各番組に対応するデータを識別できる。
ステップＳ３４において、上記第ｊ部（ｊ＝１）の映像のダビングの終了信号（ＦＩＮ）が検知された場合には、システムコントローラ２０は、分割ダビングが終了したか否かを判別する（ステップＳ３６）。分割ダビングが終了していないと判別された場合には、ビデオテープを所定時間Ｔ０（例えば、数秒〜数十秒）だけ巻き戻して（ステップＳ３７）、次回の再生時において重複部分ができるようにする。当該所定時間は、ビデオテーププレーヤ１９等の動作ラグに応じて、あるいは後の編集に適したように適宜定めればよい。また、システムコントローラ２０は、ビデオテープ映像の分割部分を表すインデックスｊを１だけインクリメント（Ｊ＝Ｊ＋１）し、ステップＳ３２に戻って上記した手順を繰り返す。
ステップＳ３６において、分割ダビングが終了したと判別された場合には、システムコントローラ２０は、ＨＤ駆動部１８、ビデオテーププレーヤ１９に終了制御信号を発してダビング終了処理を行う（ステップＳ３８）。
上記したように、本発明によれば、記録機器（蓄積部）が作動しない空き時間を利用して当該記録機器に自動的にダビング記録を行うことができる。従って、空き時間を有効利用できると共に、ダビング記録の操作を簡便、かつ短時間に行うことが可能なデジタル記録再生装置を提供することができる。
なお、本実施例においては、蓄積部としてハードディスクを用いた場合、すなわち、ビデオテープの映像をハードディスクに再録画（ダビング）する場合について説明したが、ＤＶＤ等の光ディスクを蓄積部としてこれにダビング記録する場合にも同様に適用することができる。
【実施例２】  図５は、本発明の実施例２であるデジタルレコーダの予約ダビング記録の手順を示すフローチャートである。すなわち、ビデオテープに録画された映像をビデオテーププレーヤ１９により再生し、当該再生信号をハードディスク１８Ａにダビング記録する場合を例に説明する。
まず、システムコントローラ２０は、予約ダビングの要求及びダビング設定を受け付ける（ステップＳ４１）。このダビング要求には、ビデオテーププレーヤ（ＶＣＲ）１９にロードされたダビング元のビデオテープの種類等の記録容量、記録時間に関する情報が含まれる。
次に、システムコントローラ２０は、当該ダビング要求において指定されたビデオテープの記録時間に対応するデジタルデータの記録容量を算出し、蓄積部（ハードディスク１８Ａ）の記録可能な容量（空き容量）が当該ビデオテープのダビングに十分か否かを判別する（ステップＳ４２）。
空き容量が十分でないと判別された場合には、ステップＳ４１に戻り、ダビング要求を再度受け付ける。なお、この際、空き容量が十分でない旨の表示を、例えば表示器２８に行うようにしてもよい。
空き容量が十分であると判別された場合には、システムコントローラ２０は、メモリ２０Ａに格納されている録画予約テーブルを参照し、ハードディスク１８Ａを用いる録画予約がなされていない空き時間帯を検出し、当該空き時間帯にビデオテープの映像をダビングするよう自動でダビング予定テーブルを生成し、格納する（ステップＳ４３）。
次に、システムコントローラ２０は、ダビング開始前の所定時間以内か否かを判別する（ステップＳ４４）。ここで、当該所定時間はダビング開始までに実行することが必要な処理、例えば、ビデオテーププレーヤ１９の再生開始処理、ＨＤ駆動部１８のへの記録開始処理等に要する時間を考慮して定めればよい。
システムコントローラ２０は、ダビング開始予定時間まで上記所定時間を超える時間的余裕がある場合には、ハードディスク１８Ａへの録画予約の要求が有るか否かを判別する（ステップＳ４５）。例えば、操作入力部２７からのユーザによる録画予約要求が有るか否かを判別する。
録画予約要求が有る場合には、ステップＳ４２に戻り、当該録画予約要求に基づいて、ハードディスク１８Ａにビデオテープのダビングに十分な空き容量が有るか否かを判別する（ステップＳ４２）。つまり、例えばＴＶチューナを用いたＴＶ番組等の録画予約要求に必要な容量をハードディスク１８Ａの容量から減算して、ハードディスク１８Ａの空き容量を算出し、その減算後の空き容量がビデオテープのダビングに十分か否かを判別するのである。そしてシステムコントローラ２０は、録画予約テーブルを更新するとともに、メモリ２０Ａに格納する。
当該空き容量が十分であると判別された場合には、システムコントローラ２０は、再度録画予約テーブルを参照し、ハードディスク１８Ａを用いる録画予約がなされていない空き時間帯を検出する。そして、当該空き時間帯にビデオテープの映像をダビングするよう自動でダビング予定テーブルを更新し、格納する（ステップＳ４３）。
上記処理手順により、ダビング開始予定の上記所定時間以内までハードディスク１８Ａを用いる録画予約をダビング予約に優先して受け付ける。そして、録画予約があった場合には、自動でダビング予定テーブルを更新することができる。
ステップＳ４４において、ダビング開始前の所定時間以内であると判別された場合には、一括ダビングであるか否かが判別される（ステップＳ４６）。すなわち、システムコントローラ２０は、最新のダビング予定テーブルを参照し、１の空き時間帯にダビングを行えるか（一括ダビング）、あるいは、複数の空き時間帯に分割してダビングを行うか（分割ダビング）を判別する。なお、なるべく１の空き時間帯にダビングをしたい場合には、例えば十分な空き時間帯を検索することにより、ユーザが予め分割ダビングとならないよう設定することもできる。また、システムコントローラに対するユーザの設定行為によるダビング予定テーブルの設定／変更も可能である。
一括ダビングであると判別された場合には、図３に示したのと同様な一括ダビング・サブルーチンを実行し（ステップＳ４７）、分割ダビングであると判別された場合には図４に示したのと同様な分割ダビング・サブルーチンを実行する（ステップＳ４８）。
従って、本発明によれば、記録機器（蓄積部）が作動しない空き時間を利用して当該記録機器に自動的にダビング記録を行うことができる。さらに、当該蓄積部を用いる録画予約をダビング予約に優先して受け付けると共に、録画予約があった場合には、自動でダビング予定テーブルを更新することができる。従って、空き時間を有効利用できると共に、ダビング記録の操作を簡便、かつ短時間に行うことが可能なデジタル記録再生装置を提供することができる。
【実施例３】  図６は、本発明の実施例３であるデジタルレコーダの予約ダビング記録の手順を示すフローチャートである。
まず、システムコントローラ２０は、予約ダビングの要求及びダビング設定を受け付ける（ステップＳ５１）。このダビング要求には、ビデオテーププレーヤ（ＶＣＲ）１９にロードされたダビング元のビデオテープの種類等の記録容量、記録時間に関する情報が含まれる。
次に、システムコントローラ２０は、当該ダビング要求において指定されたビデオテープの再生情報量に対応するデジタルデータの容量を算出し、蓄積部（ハードディスク１８Ａ）の記録可能な容量（空き容量）が当該ビデオテープのダビングに十分か否かを判別する（ステップＳ５２）。
空き容量が十分でないと判別された場合には、ステップＳ５１に戻り、ダビング要求を再度受け付ける。なお、この際、空き容量が十分でない旨の表示を、例えば表示器２８に行うようにしてもよい。
空き容量が十分であると判別された場合には、システムコントローラ２０は、メモリ２０Ａに格納されている録画予約テーブルを参照し、ハードディスク１８Ａを用いる録画予約がなされていない空き時間帯を検出する。システムコントローラ２０は、上記算出したデジタルデータの容量に基づいて、当該再生情報を一括してダビング可能な空き時間帯が有るか否かを判別する（ステップＳ５３）。一括ダビング可能な空き時間帯が有ると判別された場合には、図３に示したのと同様な一括ダビングを実行する（ステップＳ５４）。
一括ダビング可能な空き時間帯が無いと判別された場合には、ステップＳ５１に戻り、ダビング要求を再度受け付ける。なお、この際、一括ダビング可能な空き時間帯が無い旨の表示を、例えば表示器２８に行うようにしてもよい。
従って、本発明によれば、一括ダビング可能な空き時間帯にダビング記録を行うことができる。すなわち、中断（継ぎ目）の無いダビング記録を行うことができる。
なお、上記した実施例においては、蓄積部としてハードディスクを用いた場合、すなわち、ビデオテープの映像をハードディスクに再録画（ダビング）する場合について説明したが、ＤＶＤ等の光ディスクを蓄積部としてこれにダビングする場合にも同様に適用することができる。さらに、光ディスク等の記録媒体の映像をハードディスク等の蓄積部にダビングする場合にも同様に適用することができる。
なお、映像データを蓄積する蓄積部としてハードディスク、及びＤＶＤを用いた場合を例に説明したが、磁気ディスク、ＭＯディスク、あるいはＲＡＭ等の半導体メモリを用いた蓄積装置であってもよい。
さらに、本発明は、ＨＤＤ等の記憶装置及びＤＶＤ等の記録装置を搭載したＤＶＤレコーダ等の記録再生装置に限らず、例えば上記記憶装置及び記録媒体記録装置を搭載したＰＣ（パーソナルコンピュータ）等、またはこれらに等価な記録装置にも適用することができる。
上記した実施例は適宜組み合わせて適用することができる。
【図１】
2006064633.tif 000002
【図２】
2006064633.tif 000003
【図３】
2006064633.tif 000004
【図４】
2006064633.tif 000005
【図５】
2006064633.tif 000006
【図６】
2006064633.tif 000007
【手続補正書】
【提出日】平成19年3月15日(2007.3.15)
【手続補正１】
【補正対象書類名】特許請求の範囲
【補正対象項目名】全文
【補正方法】変更
【補正の内容】
【書類名】請求の範囲
【請求項１】  記録媒体に記録された記録情報を再生する再生部と、放送信号を受信して得られた映像信号を録画予約に基づいて蓄積する蓄積部と、を有する記録再生装置の記録方法であって、
前記記録媒体に記録された記録情報の前記蓄積部へのダビング要求を受け付けるダビング要求受信ステップと、
前記ダビング要求に応答し、前記蓄積部への前記映像信号の蓄積が予約されていない少なくとも１の空き時間帯を検出する空き時間帯検出ステップと、
前記再生部による再生情報を前記少なくとも１の空き時間帯に割り当てて前記蓄積部にダビングするダビング割当をなす割当ステップと、
前記ダビング割当に基づいて、前記少なくとも１の空き時間帯に前記再生部を駆動して前記記録情報を再生する再生ステップと、
前記再生ステップにおいて再生された記録情報を前記蓄積部に記録するダビングステップと、
前記録画予約の変更を検出する録画予約変更検出ステップと、を有し、
前記空き時間帯検出ステップは当該変更後の録画予約に基づいて空き時間帯を再検出し、前記割当ステップは当該再検出後の空き時間帯に基づいて前記ダビング割当を更新することを特徴とする記録方法。
【請求項２】（削除）
【請求項３】  前記記録媒体に記録された記録情報をデジタルデータに変換する変換ステップと、前記再生情報の情報量に対応するデジタルデータの容量を算出する算出ステップと、を有し、
前記割当ステップは前記デジタルデータの容量に基づいて前記再生情報を前記少なくとも１の空き時間帯に割り当てることを特徴とする請求項１に記載の記録方法。
【請求項４】  前記空き時間帯検出ステップは前記記録媒体に記録された記録情報を前記蓄積部に一括ダビング可能な空き時間帯を検出し、前記再生ステップは前記一括ダビング可能な空き時間帯に前記記録情報を再生し、前記ダビングステップは前記一括ダビング可能な空き時間帯に当該再生された記録情報を前記蓄積部にダビング記録することを特徴とする請求項３に記載の記録方法。
【請求項５】  記録媒体に記録された記録情報を再生する再生部と、放送信号を受信して得られた映像信号を録画予約に基づいて蓄積する蓄積部と、を有する記録再生装置であって、
前記記録媒体に記録された記録情報の前記蓄積部へのダビング要求を受け付けるダビング要求受信部と、
前記ダビング要求に応答し、前記蓄積部への前記映像信号の蓄積が予約されていない少なくとも１の空き時間帯を検出する空き時間帯検出部と、
前記再生部による再生情報を前記少なくとも１の空き時間帯に割り当てて前記蓄積部にダビングするダビング割当をなす割当部と、
前記ダビング割当に基づいて、前記少なくとも１の空き時間帯に前記再生部を駆動して前記記録情報を再生し、前記蓄積部へのダビングをなすコントローラと、
前記録画予約の変更を検出する録画予約変更検出部と、を有し、
前記空き時間帯検出部は当該変更後の録画予約に基づいて空き時間帯を再検出し、前記割当部は当該再検出後の空き時間帯に基づいて前記ダビング割当を更新することを特徴とする記録再生装置。
【請求項６】（削除）
【請求項７】  前記記録媒体に記録された記録情報をデジタルデータに変換する変換部と、前記再生情報の情報量に対応するデジタルデータの容量を算出する算出部と、を有し、
前記割当部は前記デジタルデータの容量に基づいて前記再生情報を前記少なくとも１の空き時間帯に割り当てることを特徴とする請求項５に記載の記録再生装置。
【請求項８】  前記空き時間帯検出部は前記記録媒体に記録された記録情報を前記蓄積部に一括ダビング可能な空き時間帯を検出し、前記コントローラは前記一括ダビング可能な空き時間帯に前記蓄積部へのダビングをなすことを特徴とする請求項７に記載の記録再生装置。
【請求項９】  記録媒体に記録された記録情報を再生する再生部と、放送信号を受信して得られた映像信号を録画予約に基づいて蓄積する蓄積部と、を有する記録再生装置の記録方法であって、
前記記録媒体に記録された記録情報の前記蓄積部へのダビング要求を受け付けるダビング要求受信ステップと、
前記ダビング要求に応答し、前記蓄積部への前記映像信号の蓄積が予約されていない空き時間帯を検出する空き時間帯検出ステップと、
前記再生部による再生情報を複数の空き時間帯に割り当てて前記蓄積部に分割ダビングするダビング割当をなす割当ステップと、
前記ダビング割当に基づいて、前記複数の空き時間帯において、前記再生部を駆動して前記記録情報を再生するとともに当該再生された記録情報を前記蓄積部に記録するダビングステップと、
前記録画予約の変更を検出する録画予約変更検出ステップと、を有し、
前記空き時間帯検出ステップは当該変更後の録画予約に基づいて空き時間帯を再検出し、前記割当ステップは当該再検出後の空き時間帯に基づいて前記ダビング割当を更新することを特徴とする記録方法。
【請求項１０】（削除）
【請求項１１】  前記記録媒体に記録された記録情報をデジタルデータに変換する変換ステップと、前記再生情報の情報量に対応するデジタルデータの容量を算出する算出ステップと、を有し、
前記割当ステップは前記デジタルデータの容量に基づいて前記再生情報を前記複数の空き時間帯に割り当てることを特徴とする請求項９に記載の記録方法。
【請求項１２】  前記空き時間帯検出ステップは前記記録媒体に記録された記録情報を前記蓄積部に一括ダビング可能な１の空き時間帯が有るか否かを判別し、前記一括ダビング可能な１の空き時間帯が有ると判別された場合には、前記ダビングステップは前記一括ダビング可能な１の空き時間帯において前記記録情報を再生するとともに当該再生された記録情報を前記蓄積部にダビング記録することを特徴とする請求項９に記載の記録方法。
【請求項１３】  記録媒体に記録された記録情報を再生する再生部と、放送信号を受信して得られた映像信号を録画予約に基づいて蓄積する蓄積部と、を有する記録再生装置であって、
前記記録媒体に記録された記録情報の前記蓄積部へのダビング要求を受け付けるダビング要求受信部と、
前記ダビング要求に応答し、前記蓄積部への前記映像信号の蓄積が予約されていない空き時間帯を検出する空き時間帯検出部と、
前記再生部による再生情報を複数の空き時間帯に割り当てて前記蓄積部に分割ダビングするダビング割当をなす割当部と、
前記ダビング割当に基づいて、前記複数の空き時間帯において、前記再生部を駆動して前記記録情報を再生するとともに当該再生された記録情報の前記蓄積部へのダビングをなすコントローラと、
前記録画予約の変更を検出する録画予約変更検出部と、を有し、
前記空き時間帯検出部は当該変更後の録画予約に基づいて空き時間帯を再検出し、前記割当部は当該再検出後の空き時間帯に基づいて前記ダビング割当を更新することを特徴とする記録再生装置。
【請求項１４】（削除）
【請求項１５】  前記記録媒体に記録された記録情報をデジタルデータに変換する変換部と、前記再生情報の情報量に対応するデジタルデータの容量を算出する算出部と、を有し、
前記割当部は前記デジタルデータの容量に基づいて前記再生情報を前記複数の空き時間帯に割り当てることを特徴とする請求項１３に記載の記録再生装置。
【請求項１６】  前記空き時間帯検出部は前記記録媒体に記録された記録情報を前記蓄積部に一括ダビング可能な１の空き時間帯が有るか否かを判別し、前記一括ダビング可能な１の空き時間帯が有ると判別された場合には、前記コントローラは前記一括ダビング可能な１の空き時間帯に前記蓄積部へのダビングをなすことを特徴とする請求項１３に記載の記録再生装置。
【手続補正２】
【補正対象書類名】図面
【補正対象項目名】全図
【補正方法】変更
【補正の内容】
【書類名】図面
【図１】
2006064633.tif 000008
【図２】
2006064633.tif 000009
【図３】
2006064633.tif 000010
【図４】
2006064633.tif 000011
【図５】
2006064633.tif 000012
【図６】
2006064633.tif 000013
【国際調査報告】
2006064633.tif 000014
2006064633.tif 000015
2006064633.tif 000016